(57)【特許請求の範囲】
【請求項１】
住宅内に睡眠用の室空間を区画形成するための睡眠室ユニットであって、
略直方体の箱体で外側を覆われるとともに、内部に人が入って睡眠をとることができる内部空間を有しており、
人が全身を横臥可能な寝台と、
略ドーム形状をなし、壁及び天井を一体的に形成する壁天井形成パネルと、
該壁天井形成パネルの適宜の位置に略水平に複数段に亘って設けられ、内部空間を照射する照明設備と、
内部空間の空気を床面の適宜の位置に設けた吸込口から吸い込んで、処理した空気を、壁天井パネルの天頂部に設けた吹出口から内部空間に供給し、内部空間の室温調節と換気を行うようにした空調装置と、
を備えた睡眠室ユニット。
【請求項２】
住宅内に睡眠用の室空間を区画形成するための睡眠室ユニットであって、
略直方体の箱体で外側を覆われるとともに、内部に人が入って睡眠をとることができる内部空間を有しており、
人が全身を横臥可能な寝台と、
略ドーム形状を略水平な平面で上下に分割してなる複数のセグメントを、一方のセグメントが他方のセグメントの外方に位置するように順次重ね合わせ、尚且つ相互に所定の隙間部を形成するようにして、連結して組み立てられた、壁及び天井を一体的に形成する壁天井形成パネルと、
該隙間部に凹設され、内部空間を照射する照明設備と、
内部空間の空気を床面の適宜の位置に設けた吸込口から吸い込んで、処理した空気を、壁天井パネルの天頂部に設けた吹出口から内部空間に供給し、内部空間の室温調節と換気を行うようにした空調装置と、
を備えた睡眠室ユニット。
【請求項３】
請求項１又は２に記載の睡眠室ユニットを備えてなる住宅。
【発明の詳細な説明】
【技術分野】
【０００１】
本発明は、住宅内に睡眠用の室空間を区画形成するための睡眠室ユニットに関する。
【背景技術】
【０００２】
従来、カプセルホテルでの利用客の睡眠や病院での従業員の仮眠等のために、それらの施設に設置される就寝用のカプセルユニットが公知である。このカプセルユニットは、一般に人が内部に入ってそこで就寝できるように、人体を横たえた状態に合わせて水平方向縦長の箱状体によって形成され、側面に出入りのための開口部が設けられている。
【０００３】
このようなカプセルユニットにおいて、既設の建物への搬入・設置を容易にするとともに、組み立ての簡素化を図ったものとしては、例えば特許文献１に記載されるものがある。
【０００４】
【特許文献１】特開平１１−１８２０７８
【発明の開示】
【発明が解決しようとする課題】
【０００５】
しかしながら、従来の上記カプセルユニットは、狭く圧迫感が有る等、必ずしも快適な睡眠環境を提供するものとはいえないため、キッチンや浴室、トイレ、寝室等をそれぞれユニット化した複数の小空間ユニットとして適宜配設して、住宅を形成する場合においては、これをそのまま寝室ユニットとして用いることができなかった。
【０００６】
そこで、本発明は上記問題に鑑みてなされたものであり、住宅内において、快適な睡眠と目覚めを促す睡眠室ユニットを提供することを目的とするものである。
【課題を解決するための手段】
【０００７】
上記の課題を解決するために、請求項１に記載の睡眠室ユニットは、住宅内に睡眠用の室空間を区画形成するための睡眠室ユニットであって、
略直方体の箱体で外側を覆われるとともに、内部に人が入って睡眠をとることができる内部空間を有しており、
人が全身を横臥可能な寝台と、
略ドーム形状をなし、壁及び天井を一体的に形成する壁天井形成パネルと、
該壁天井形成パネルの適宜の位置に略水平に複数段に亘って設けられ、内部空間を照射する照明設備と、
内部空間の空気を床面の適宜の位置に設けた吸込口から吸い込んで、処理した空気を、壁天井パネルの天頂部に設けた吹出口から内部空間に供給し、内部空間の室温調節と換気を行うようにした空調装置と、
を備えたことを要旨とする。
【０００８】
また、請求項２に記載の睡眠室ユニットは、住宅内に睡眠用の室空間を区画形成するための睡眠室ユニットであって、
略直方体の箱体で外側を覆われるとともに、内部に人が入って睡眠をとることができる内部空間を有しており、
人が全身を横臥可能な寝台と、
略ドーム形状を略水平な平面で上下に分割してなる複数のセグメントを、一方のセグメントが他方のセグメントの外方に位置するように順次重ね合わせ、尚且つ相互に所定の隙間部を形成するようにして、連結して組み立てられた、壁及び天井を一体的に形成する壁天井形成パネルと、
該隙間部に凹設され、内部空間を照射する照明設備と、
内部空間の空気を床面の適宜の位置に設けた吸込口から吸い込んで、処理した空気を、壁天井パネルの天頂部に設けた吹出口から内部空間に供給し、内部空間の室温調節と換気を行うようにした空調装置と、
を備えたことを要旨とする。
【０００９】
また、請求項３に記載の住宅は、請求項１又は２に記載の構成の睡眠室ユニットを備えてなることを要旨とする。
【発明の効果】
【００１０】
本発明によれば、人が全身を横臥可能な寝台と、略ドーム形状をなし、壁及び天井を一体的に形成する壁天井形成パネルと、該壁天井形成パネルの適宜の位置に略水平に複数段に亘って設けられ、内部空間を照射する照明設備と、内部空間の空気を床面の適宜の位置に設けた吸込口から回収して、処理した空気を、壁天井パネルの天頂部に設けた吹出口から内部空間に供給し、内部空間の室温調節と換気を行うようにした空調装置と、を備えて睡眠室ユニットを構成したため、住宅内において、快適な睡眠と目覚めを促す室空間を区画形成することが可能となる。
【発明を実施するための最良の形態】
【００１１】
本発明に係る睡眠室ユニットは、キッチンや浴室、トイレ、寝室等をそれぞれ構成するユニット化された複数の小空間ユニットを適宜配設して住宅を形成する場合において、特に睡眠用の室空間を区画形成するために用いられるものである。
【００１２】
本発明に係る睡眠室ユニットは、箱体で外側を覆われるとともに、内部に人が入って睡眠をとることができる内部空間を有したものである。箱体は、ユニットの汎用性を考慮して、略直方体にて構成するが、大きさは適宜変更してよい。箱体の構造としては種々のものが用いられるが、例えばコンクリートや木軸、軽量鉄骨等を用いて骨組み構成する。
【００１３】
内部空間は、壁及び天井を一体的に形成する壁天井形成パネルによって、略ドーム形状をなすように構成する。略ドーム形状とすることにより、内部に入る人の体と内部空間との一体感が生まれ、体内感覚でより高いやすらぎ感を獲得することが可能となる。
壁天井形成パネルは、このような形状を形成可能なものであれば、如何なる素材を用いてもよいが、特に木質材や皮（人工皮）など、柔らかく温かみの有る素材が適している。
【００１４】
壁天井形成パネルには、内部空間を照射する照明設備を設ける。照明設備は、例えば壁天井パネルに略水平に複数段に亘って設けることとし、好ましくは、一方から他方にかけて段階的に点灯するように構成する。これによって、快適な目覚めを実現することが可能となる。
このような構成とするために、壁天井形成パネルは、水平又は垂直方向に分割され、横長又は縦長の曲面形状よりなる１種類又は複数種類の成形パネルを組み合わせて形成し、パネルの連結部背面において照明設備を内蔵させることが好ましい。
その他、壁天井形成パネルを、柔らかい布素材とグラスファイバー製フレームとから形成し、内部空間全体を大きな提灯状のシェードで覆うように構成してもよい。
【００１５】
本発明に係る睡眠室ユニットには、快適な睡眠環境を確保するために、内部空間の室温調節と換気を行う空調装置を備え付けるものとし、内部空間の空気を床面の適宜の位置に設けた吸込口から吸い込んで、処理した空気を、壁天井パネルの天頂部に設けた吹出口から内部空間に供給するように構成する。
【００１６】
本発明に係る睡眠室ユニットは、一人用又は複数人用の睡眠室として構成する。本発明によって構成される一人用睡眠室ユニットを、住宅内に複数配設することとすれば、個々の家族構成員がそれぞれのライフスタイルに応じて利用可能な睡眠室を形成することが可能となる。
【００１７】
本発明に係る睡眠室ユニットは、工場において各部材を予め組み立てておき、建築現場でこれを適所に設置するようにしてもよいし、その一部又は全部を現場で施工することとしてもよい。
【実施例１】
【００１８】
本発明の第１の実施例を図１〜図３に基づいて説明する。本実施例は、本発明に係る睡眠室ユニットの一実施形態を示すものである。図１は、睡眠室ユニットの実施形態を示す平面図、図２は、図１におけるＡ〜Ａ’断面図、図３は、図１におけるＢ〜Ｂ’断面図である。
【００１９】
図１〜図３に示すように、本実施例に係る睡眠室ユニット（１）は、略直方体の箱体（２）で外側を覆われており、内部に人が入って睡眠をとることができるように内部空間（３）が構成されたものである。本実施例において、箱体（２）は、幅3000mm×奥行き2750mm×高さ2800mmの寸法で構成されている。
【００２０】
内部空間（３）は、図１〜図３に示すように、壁及び天井を一体的に形成する壁天井形成パネル（５）と、水平に保たれた床面（６）とによって、卵型（楕円球型）の下方及び側方を一部切欠した略ドーム形状をなして形成されており、天頂部（７）で2100mmの天井高さを有するように構成されている。
壁天井形成パネル（５）は、図２〜図３に示すように、上記略ドーム形状を水平な平面で上下に分割してなる複数のセグメント（８ａ）（８ｂ）（８ｃ）（８ｄ）（８ｅ）を、下方のセグメントが上方のセグメントの外方に位置するように順次重ね合わせて、尚且つ相互に所定の隙間部（１０ａ）（１０ｂ）（１０ｃ）（１０ｄ）を形成するようにして、連結して組み立てられている。
【００２１】
そして、図２〜図３に示すように、隙間部（１０ａ）（１０ｂ）（１０ｃ）（１０ｄ）には内部空間（３）を斜め下方に向かって照射する照明設備（９ａ）（９ｂ）（９ｃ）（９ｄ）がそれぞれ凹設されており、上段から下段にかけて、あるいは下段から上段にかけて段階的に点灯及び消灯がなされるようになっている。
【００２２】
壁天井形成パネル（５）の一部は、図２に示すように、垂直面（１２）を形成するようになされており、この適宜の位置には、内部空間（３）への出入り用の開口部（１３）が設けられている。開口部（１３）は、図示しない扉によって、気密性を保持して閉鎖可能とされている。扉には必要によって施錠機能を付してもよい。
【００２３】
図１〜図３に示すように、内部空間（３）には、人一人が全身を横臥可能な寝台（１５）が、支持部（１６）によって床面から約300mmの高さに水平状態に設置されるとともに、開口部（１３）から人が出入できるように、一端を支点として水平方向に所定の角度だけ回動可能に構成されている。寝台（１５）の上面は、適宜の堅さを有するマットレスによって形成されており、また寝台（１５）は、開口部（１３）に面する頭部を載置する側が、上方に折曲して形成されている。
【００２４】
本実施例に係る睡眠室ユニット（１）は、図１〜図３に示すように、内部空間（３）の室温調節と換気を行うための空調装置（２０）を備えており、壁天井パネル（５）の天頂部（７）には吹出口（２１）、床面（６）の適宜の位置には吸込口（２２）が設けられ、それぞれ図示しないダクトによって空調装置（２０）と接続されて、空調装置（２０）で処理した空気を、吹出口（２１）を介して内部空間（３）に供給するとともに、内部空間（３）の空気を、吸込口（２２）を介して空調装置（２０）に回収し、空調装置（２０）と内部空間（３）との間で空気を循環させて空気調和を行うようになされている。この結果、内部空間（３）には、図２〜図３に示すように、天頂部（７）の吹出口（２１）から、壁天井形成パネル（５）に沿って、床面（６）、吸込口（２２）へと至る空気の流れが形成されることとなる。このような空気の流れを形成することにより、直接人体に空気の動きを感じさせずに空調を行うことが可能となる。
【００２５】
空調装置（２０）としては、公知のものを制限無く用いることができ、詳細については図示を省略するが、本実施例では空調装置（２０）を、例えば以下の如く構成している。すなわち、空調装置（２０）には、熱交換器、送風機、フィルタ等が収容されており、内部空間（３）から回収し、フィルタで清浄化した空気を、熱交換器で加熱又は冷却することによって所定温度に調整し、これを調和空気として、送風機を用いて内部空間（３）に供給するようにしている。さらに空調装置（２０）は、内部空間（３）から空調装置（２０）に回収した空気の一部を箱体（２）外部に放出し、箱体（２）外部から新鮮な空気を取り入れて、内部空間（３）の換気を実行可能とするために、箱体（２）外部と吸排気自在に連通されているとともに、ダンパを介して吸排気の量（換気量）が調節可能とされている。また、圧縮機、熱交換器、送風機等を収容した室外機を、必要により箱体（２）外部に付設することとしてもよい。
【００２６】
また、図１に示すように、壁天井形成パネル（５）の壁面を形成する適宜の位置には、埋め込み型の収納（２５）が設けられており、飲料水や書籍等の小物を収容できるようになっている。その他、必要により冷蔵庫等を付設することとしてもよい。
【００２７】
本実施例に係る睡眠室ユニット（１）によれば、人が全身を横臥可能な寝台（１５）と、略ドーム形状を略水平な平面で上下に分割してなる複数のセグメント（８ａ）（８ｂ）（８ｃ）（８ｄ）（８ｅ）を、一方のセグメントが他方のセグメントの外方に位置するように順次重ね合わせ、尚且つ相互に所定の隙間部（９ａ）（９ｂ）（９ｃ）（９ｄ）を形成するようにして、連結して組み立てられた、壁及び天井を一体的に形成する壁天井形成パネル（５）と、隙間部（１０ａ）（１０ｂ）（１０ｃ）（１０ｄ）に凹設され、内部空間（３）を照射する照明設備（９ａ）（９ｂ）（９ｃ）（９ｄ）と、内部空間（３）の空気を床面（６）の適宜の位置に設けた吸込口（２２）から吸い込んで、処理した空気を、壁天井パネル（５）の天頂部（７）に設けた吹出口（２１）から内部空間（３）に供給し、内部空間（３）の室温調節と換気を行うようにした空調装置（２０）とを備えるようにしたため、住宅内において、快適な睡眠と目覚めを促す室空間を区画形成することが可能となる。
また、壁天井形成パネル（５）を、セグメント（８ａ）（８ｂ）（８ｃ）（８ｄ）（８ｅ）によって構成したため、一部の部材のみの交換も容易であり、メンテナンス性に優れている。
【実施例２】
【００２８】
本発明の第２の実施例を図４〜図５を参照しながら説明する。本実施例では、本発明に係る睡眠室ユニットを備えた住宅について説明する。
【００２９】
図４は、本発明に係る睡眠室ユニットを備えた住宅の実施形態を示す平面図（２階部分）である。この図に示すように、本実施例に係る住宅（３０）は、平面視略コ字状の廊下（３１）と、その一端に接続される書斎（３２）と、さらに書斎（３２）及び廊下（３１）の他端に接続されるベランダ（３４）とによって、四方を囲われた吹抜（３５）を有するように構成されており、廊下（３１）の外周に沿って、ベランダ（３８）が付設された主寝室（３７）、ウォークインクロゼット（３９）、睡眠室ユニット（１）、睡眠室ユニット（１）が配設されている。吹抜（３５）には、廊下（３１）と階下とを繋ぐ螺旋状の階段（４０）が設けられている。また、廊下（３１）にはトイレ（４１）が配設されるとともに、種々の作業が可能なデスク（４２）が設置されている。
【００３０】
睡眠室ユニット（１）は、一人用のもので、前実施例で詳述した如くの構成を有し、廊下（３１）に沿って並設されている。そして、廊下（３１）に面して、睡眠室ユニット（１）へ出入するための開口部（１３）がそれぞれ設けられている。
なお、書斎（３２）、主寝室（３７）、ウォークインクロゼット（３９）、トイレ（４１）は、睡眠室ユニット（１）と同様に、予め形状、素材、仕上げ、設備等が創り込まれた箱状の小空間ユニットとしてそれぞれ構成されており、これらのユニットを、機能性等を考慮して任意に配置することによって住宅（３０）が形成されているものである。
【００３１】
また、図５は、本発明に係る睡眠室ユニットを備えた住宅の他の実施形態を示す平面図（２階部分）である。この図に示すように、本実施例に係る住宅（４５）は、平面視略コ字状の廊下（４６）と、その一端に接続される主寝室（４７）とによって、三方を囲われた吹抜（４８）を有するように構成されており、廊下（４６）の外周に沿って、浴室（５０）、洗面室（５１）、トイレ（５２）、収納（５３）、睡眠室ユニット（１）、書斎（５４）、書斎（５５）、睡眠室ユニット（１）が配設されている。主寝室（４７）には、月見台（５７）が接続されている。廊下（４６）の他端には、ベランダ（５９）が接続されている。また、主寝室（４７）と浴室（５０）との間には、廊下（４６）と階下とを繋ぐ階段（６０）が設けられている。
【００３２】
睡眠室ユニット（１）は、一人用のものであるが、この実施例では、廊下（４６）から出入りできるように並設された書斎（５４）、書斎（５５）とそれぞれ連通可能となるように、睡眠室ユニット（１）、書斎（５４）、書斎（５５）、睡眠ユニット（１）が横並びに配設されている。このような構成により、睡眠室ユニット（１）と書斎（５４）又は（５５）とが一体となったプライベートな空間が、住宅内に区画形成されることとなる。
なお、主寝室（４７）、浴室（５０）、洗面室（５１）、トイレ（５２）、収納（５３）、書斎（５４）（５５）、月見台（５７）は、睡眠室ユニット（１）と同様に、予め形状、素材、仕上げ、設備等が創り込まれた箱状の小空間ユニットとしてそれぞれ構成されており、これらのユニットを、機能性等を考慮して任意に配置することによって住宅（４５）が形成されているものである。
【００３３】
本実施例に係る住宅（３０）（４５）によれば、睡眠室ユニット（１）を適宜の位置に配置して住宅を形成するようにしたため、快適な睡眠環境を提供する室空間を、住宅内において区画形成することが可能となる。また、個々の家族構成員は、それぞれのライフスタイルに応じて睡眠室ユニット（１）を利用して睡眠をとることができるため、利便性が高い。
【産業上の利用可能性】
【００３４】
本発明は、住宅内において、快適な睡眠と目覚めを促す睡眠室ユニットを提供するものであり、産業上の利用可能性を有する。
【図面の簡単な説明】
【００３５】
【図１】本発明に係る睡眠室ユニットの実施形態を示す平面図である。
【図２】図１におけるＡ〜Ａ’断面図である。
【図３】図１におけるＢ〜Ｂ’断面図である。
【図４】本発明に係る睡眠室ユニットを備えた住宅の実施形態を示す平面図である。
【図５】本発明に係る睡眠室ユニットを備えた住宅の他の実施形態を示す平面図である。
【符号の説明】
【００３６】
１  睡眠室ユニット
２  箱体
３  内部空間
５  壁天井形成パネル
６  床面
７  天頂部
８ａ〜８ｅ  セグメント
９ａ〜９ｄ  照明設備
１０ａ〜１０ｄ  隙間部
１２  垂直面
１３  開口部
１５  寝台
１６  支持部
２０  空調装置
２１  吹出口
２２  吸込口
２５  収納
３０  住宅
３１  廊下
３２  書斎  
３４  ベランダ
３５  吹抜
３７  主寝室
３８  ベランダ
３９  ウォークインクロゼット
４０  階段
４１  トイレ
４２  デスク
４５  住宅
４６  廊下
４７  主寝室
５０  浴室
５１  洗面
５２  トイレ
５３  収納
５４、５５  書斎
５８  池
５９  ベランダ
６０  階段
【図１】
0004446196.tif 000002
【図２】
0004446196.tif 000003
【図３】
0004446196.tif 000004
【図４】
0004446196.tif 000005
【図５】
0004446196.tif 000006